(57)【要約】  本発明の目的は、周波数発振器を作ること、すなわち、外部外乱にも関わらず信頼性高く機能し、かつそれ専用の周波数を維持するために容易な制御を有するであろう水晶発振器をより正確に作ることである。この目的は、周波数発振器として、その出力周波数よりずっと低い範囲を持つ水晶発振器、或いは相当する機械共振器を選択することにより達され、その周波数は典型的には１００ｋＨｚ以下である。このような発振器は、サイズが小さく、製造するのが容易であり、それはまた、外部外乱にも関わらず、それ専用の周波数を非常によく維持する能力を持つ。その小さいサイズのおかげで、その発振器の消費電力は小さく、これは、例えばブルートゥース応用例において重要である。
2007515083.tif 000002
【特許請求の範囲】
【請求項１】
水晶発振器のような周波数発振器を制御し、発振回路を形成する方法であって、
該方法により、周波数発振器のその品質についての改善が実現され、
周波数逓倍器（２）又は位相固定ループによって、基準発振器（１）の周波数を出力周波数（５）にまで引き上げるステップ
を含み、所望の周波数よりもかなり低い周波数（＜）１００ｋＨｚ）を持つ低周波数発振器（１）を、周波数発振器として使用し、
電圧又はデジタル制御機構（４）によって低周波数発振器（１）を調整することによって、前記出力周波数（５）の制御を実行することを特徴とする方法。
【請求項２】
前記低周波数発振器（１）に温度補償制御（３）を与えることによって、温度の変化による周波数への影響を取り除く
ことを特徴とする請求項１に記載の方法。
【請求項３】
前記低周波数が、少なくとも１００倍まで引き上げられる
ことを特徴とする請求項１に記載の方法。
【請求項４】
発振器（１）に接続された周波数逓倍器（２）によって、或いは位相固定ループによって、高周波数の出力周波数（５）（＜１０ＭＨｚ）が実現され、
低周波数（＜）１００ｋＨｚ）発振器（１）
を含み、その制御回路が、前記低周波数発振器（１）を調整する際の出力周波数の制御のための電圧又はデジタル制御機構（４）を含む
ことを特徴とする、水晶発振器のような周波数発振器。
【請求項５】
温度の変化の影響を補償する制御（３）が、前記低周波数発振器（１）に接続された
ことを特徴とする、請求項４に記載の周波数発振器。
【発明の詳細な説明】
【技術分野】
【０００１】
本発明は、水晶発振器のような周波数発振器を操向して、発振回路を形成するための方法に関するものであり、この方法により、その品質についての周波数発振器の改善が実現される。
【背景技術】
【０００２】
広範囲にわたる温度範囲で機能することのできる水晶発振器回路が、前に、米国特許明細書第６,１６０,４５８号より知られている。発振循環は、デジタル出力を持つ温度検出器、制御回路、メモリ、及び補償回路を含み、それらに基づいて、温度の周波数がもたらされる。
【０００３】
米国特許明細書第６,１７５,２８４号では、水晶発振器を保持する標準電圧回路を有する温度補償水晶発振器回路もまた知られている。その機構は、温度検出器、周波数差分の回路、そこからその周波数差分の回路に結合するフィードバックが存在する直流電流負荷、及びその直流電流負荷の保守を含み、その結果、この水晶発振器回路の変形は、周波数差分の回路からの制御により温度補償される。
【０００４】
上で示した水晶発振器では、発振器の周波数は出力周波数に近く、これは普通、１０ＭＨｚ−３２ＭＨｚの範囲内である。上記の解決策によって、これらの周波数の近くで動作する水晶発振器の周波数は、細かい制御を持つ。それが機能する範囲が大きければ大きいほど、水晶発振器の製造はより困難である。また、発振器のサイズはますます大きくなり、かつ外部からの外乱に対するその感度は増大する。
【０００５】
本発明による発振器、及びそれを制御するための方法、その信頼性の著しい改善、ブローに対する耐性、及び典型的な水晶発振器の大きなＧ−パワーが、その周波数で実現される。本発明は、特許請求の範囲で示されることを特徴とする。
【０００６】
本発明の目的は、周波数発振器を作ること、すなわち、外部外乱にも関わらず信頼性高く機能し、かつそれ専用の周波数を維持するために容易な制御を有するであろう水晶発振器をより正確に作ることである。この目的は、周波数発振器として、その出力周波数よりずっと低い範囲を持つ水晶発振器、或いは相当する機械共振器を選択することにより達され、その周波数は典型的には１００ｋＨｚ以下である。このような発振器は、サイズが小さく、製造するのが容易であり、それはまた、外部外乱にも関わらず、それ専用の周波数を非常によく維持する能力を持つ。その小さいサイズのおかげで、その発振器の消費電力は小さく、これは、例えばブルートゥース応用例において重要である。周波数逓倍器により、その低範囲発振は、必要な高範囲発振、すなわち１０ＭＨｚ以上の周波数へ変えられる。それ自体は既知な手法である、位相固定ループにより周波数を増大させることによってもまた、低範囲発振を高範囲発振へ変えることができる。周波数逓倍器の乗数を変える、或いは出力として位相固定ループを使用することにより、広範囲にわたる周波数範囲から充分な所望の周波数が実現されるので、そのような発振器によって、広範囲にわたる周波数範囲が実現される。
【０００７】
低周波数発振器は、電圧ベース、或いはデジタルベースの制御によって調整され、必要な場合にはまた、補償信号の制御により、温度の変化の影響を補償して、発振器を制御する。それをより正確にするために、本発明による方法は、所望の周波数よりかなり低い周波数を持つ低周波数発振器を周波数発振器として使用することを特徴とし、より高い周波数を実現するために、周波数逓倍器を使ってその出力周波数を逓倍する、或いは位相固定ループにより周波数を引き上げ、かつ、その制御機構によって低周波数発振器を調整することにより、出力周波数の制御を実行する。
【０００８】
本発明による周波数発振器は、それが低周波数（＜１００Ｈｚ）発振器を備え、かつその制御回路が、低周波数の前記周波数発振器を調整することによるその出力周波数の制御のための電圧制御、又はデジタル制御機構を持つことを特徴とする。
【０００９】
以下において、同封の図面の図１について本発明を開示し、図１は、本発明による周波数発振器を概略的に示している。
【００１０】
図１は、周波数発振器１として、それ自体既知である構造の共振器、或いは基準水晶発振器を示しており、その周波数は、所望の出力周波数５よりかなり低い。発振器１の周波数の例は１００ｋＨｚ以下であり、例えば３２ｋＨｚが最も適している。そのような周波数発振器は、たった約１×２ｍｍの小さいサイズであり、それは薄くて落下に強く、様々な方向からの少なくとも５０００Ｇの著しい加速度への耐性がある。しかしながら、これらの有利な品質にもかかわらず、外乱要素に対して、周波数発振器１を調整しなければならない。本発明に従って、その周波数が安定したままであるように、低周波数発振器１を調整する。調整のために、発振器からの検閲を受けた電圧に基づく制御、或いはデジタルベースの制御、のいずれかを使用する。
【００１１】
温度補償周波数コンバータ、例えば−４０°〜＋１３０℃の範囲をカバーする周波数コンバータを目指して、発振器に、熱効果の補償３を提供しなければならない。この補償回路からの制御は、低周波数発振器１を制御するように与えられる。
【００１２】
基準発振器１は低周波数装置であるので、概して、周波数逓倍器構成要素２を周波数発振器に接続しなければならず、それにより、発振器１の調整された周波数が、１０ＭＨｚを超える周波数のような出力５の所望の高周波数に変換される。例えば、一般的に使用される周波数は２４ＭＨｚである。周波数逓倍器２により、その周波数は、少なくとも１００倍まで引き上げられる。同様に、位相固定ループを使って周波数を増大する場合には、周波数はまた１００倍まで引き上げられる。
【００１３】
外乱の場合、外乱の周波数への影響を、周波数発振器１の制御及び調整により、その周波数発振器１から即座に取り除くことができる。１ページ目の既知の刊行物による解決策では、調整制御が周波数逓倍器に利用され、その結果、基準発振器はより長い時間乱れたままであろう。状況を通常にするために、休みなく、基本発振器の周波数を検出及び制御しなければならず、また周波数逓倍器を制御しなければならないことを必要とする。これは、その解決策を複雑にする。
【００１４】
低周波数発振器は、製造するのが容易であり、かつより小さいサイズであり、そのため、それによって本発明により作成された高周波数発振器も、やはり小さいサイズであり、使用において信頼性が高い。
【図面の簡単な説明】
【００１５】
【図１】本発明による周波数発振器を概略的に示している。
【図１】
2007515083.tif 000003
【国際調査報告】
2007515083.tif 000004
2007515083.tif 000005
2007515083.tif 000006